(57)【特許請求の範囲】
【請求項１】
前面が開口した箱形形状に構成された本体枠と、該本体枠に開閉可能に軸着された前面枠と、を備え
該本体枠の内部には、
複数の図柄が付された複数のリールを備えるリール装置と、
コインの貯留および払い出しを行う払出装置と、
前記払出装置からオーバーフローしたコインを貯留する貯留箱と、
を設け、
前記前面枠に設けたリール表示部にて複数の図柄が移動する可変表示遊技を行い、該可変表示遊技の結果、前記リール表示部にて停止表示された図柄が、予め設定された有効な表示ライン上において特定表示結果となると特別遊技状態を発生して所定の遊技価値を付与可能な遊技機において、
前記払出装置は、
コインを貯留するための払出貯留部と、
該払出貯留部からオーバーフローしたコインを前記貯留箱内に流下案内するオーバーフロー樋と、
を有し、
前記貯留箱は、前記オーバーフロー樋により流下案内されたコインを貯留するために上方が開口した箱形形状に構成すると共に、該オーバーフロー樋により流下案内されて落下するコインの落下勢を減衰させる落下勢減衰面を内部に有し、
前記貯留箱の手前側の外側部分には、下方が開口した凹室状に形成されて当該貯留箱を引き出し又は押し込む際に把持するための把持部を設け、
前記貯留箱の内面のうち、前記把持部の上面の裏側部分を奥側に向けて下り傾斜するように形成して前記落下勢減衰面を構成し、さらに該落下勢減衰面の上方および下方の面にも奥側に向けた傾斜面を構成したことを特徴とする遊技機。
【請求項２】
前記貯留箱の底面には、開口可能な貯留箱側開口可能部を設ける一方で、前記本体枠の底面には、当該本体枠に前記貯留箱を配置した際に前記貯留箱側開口可能部と対応する位置に、開口可能な本体枠側開口可能部を設け、
前記貯留箱の底面のうち、前記貯留箱側開口可能部を除いた面を該貯留箱側開口部に向けて下り傾斜させるとともに、互いに向き合うように傾斜した底面の下端の鉛直位置を不均一にしたことを特徴とする請求項１記載の遊技機。
【請求項３】
前記貯留箱の上端部と前記オーバーフロー樋との間隔が、遊技媒体の径よりも小さく設定されていることを特徴とする請求項１又は２記載の遊技機。
【請求項４】
前記貯留箱の上縁部には、該貯留箱から遊技媒体が飛び出すのを防止するための、柔軟材からなる飛散防止部材が設けられていることを特徴とする請求項１〜３のいずれかに記載の遊技機。
【請求項５】
前記本体枠は、該本体枠の奥側の側面から手前側に向かって突出するように設けられ前記貯留箱内のコインが所定量以上に達するオーバーフロー状態を検出可能なオーバーフロー検出手段を備え、かつ、該オーバーフロー検出手段の検出部を覆うカバー部材を着脱自在に取付け可能なことを特徴とする請求項１〜４のいずれかに記載の遊技機。  
【発明の詳細な説明】
【技術分野】
【０００１】
本発明は、払出装置のオーバーフロー樋を介して落下したコインを受け容れて貯留するために上方が開口した箱形形状に構成された貯留箱を備える遊技機に関する。
【背景技術】
【０００２】
従来の遊技機、特にパチスロ遊技機においては、投入された遊技媒体（コイン）の回収方法には２通りの手法があった。先ず１つは、投入されたコインを貯留するホッパー（払出装置）の払出貯留部からオーバーフローしたコインを、ホッパーのオーバーフロー樋を介して貯留箱内に落下させて、コインを貯留箱内に貯留し、この貯留量が所定量に達した場合に遊技店の店員が貯留箱内のコインを回収する手法がある。この場合、貯留箱内のコインの貯留量が所定量に達したことを検出するオーバーフロー検出スイッチを設け、このオーバーフロー検出スイッチによる検出に基づいて所定の報知を行い、店員が貯留箱内のコインを回収する。もう１つは、パチスロ遊技機の本体枠の底面に開口部を設けて、ホッパーからオーバーフローしたコインをパチスロ遊技機の下方に流下し、この流下したコインを島設備の所定箇所に搬送する手法である。
【発明の開示】
【発明が解決しようとする課題】
【０００３】
しかしながら、上記した２通りのコインの回収方法のうち、前者の手法を行う場合には、オーバーフロー樋の出口の鉛直位置が高いため、そこから落下するコインが貯留箱の底面に与える衝撃が大きいという問題があった。さらに、従来の貯留箱は、単に、上方が開口した箱形形状に形成されただけの構成であったため、貯留箱内のコインを回収するために貯留箱を手前側に引き出す際には貯留箱の上縁部を掴んだりする必要があり、この引き出し作業を行いにくいという問題があった。しかも、上縁部を掴んで貯留箱を引き出す際にオーバーフロー樋からコインが落下すると、このコインが手に当たって貯留箱外にこぼれ落ちてしまう可能性がある。加えて、オーバーフロー樋の出口から貯留箱の上端までの距離が離れている場合、コインがこぼれる可能性があった。
【０００４】
この発明は、上記のような問題点を解決するためになされたもので、オーバーフロー樋を介して落下するコインにより貯留箱の底面に与える衝撃を低減でき、貯留箱内に大量のコインが流入した場合であっても、コインが貯留箱の底面で滞留しない遊技機を提供することを目的とする。
【課題を解決するための手段】
【０００５】
上記課題を解決するため、
請求項１記載の発明は、前面が開口した箱形形状に構成された本体枠と、該本体枠に開閉可能に軸着された前面枠と、を備え
該本体枠の内部には、
複数の図柄が付された複数のリールを備えるリール装置と、
コインの貯留および払い出しを行う払出装置と、
前記払出装置からオーバーフローしたコインを貯留する貯留箱と、
を設け、
前記前面枠に設けたリール表示部にて複数の図柄が移動する可変表示遊技を行い、該可変表示遊技の結果、前記リール表示部にて停止表示された図柄が、予め設定された有効な表示ライン上において特定表示結果となると特別遊技状態を発生して所定の遊技価値を付与可能な遊技機において、
前記払出装置は、
コインを貯留するための払出貯留部と、
該払出貯留部からオーバーフローしたコインを前記貯留箱内に流下案内するオーバーフロー樋と、
を有し、
前記貯留箱は、前記オーバーフロー樋により流下案内されたコインを貯留するために上方が開口した箱形形状に構成すると共に、該オーバーフロー樋により流下案内されて落下するコインの落下勢を減衰させる落下勢減衰面を内部に有し、
前記貯留箱の手前側の外側部分には、下方が開口した凹室状に形成されて当該貯留箱を引き出し又は押し込む際に把持するための把持部を設け、
前記貯留箱の内面のうち、前記把持部の上面の裏側部分を奥側に向けて下り傾斜するように形成して前記落下勢減衰面を構成し、さらに該落下勢減衰面の上方および下方の面にも奥側に向けた傾斜面を構成したことを特徴としている。
【０００６】
請求項２記載の発明は、請求項１記載の遊技機において、前記貯留箱の底面には、開口可能な貯留箱側開口可能部を設ける一方で、前記本体枠の底面には、当該本体枠に前記貯留箱を配置した際に前記貯留箱側開口可能部と対応する位置に、開口可能な本体枠側開口可能部を設け、
前記貯留箱の底面のうち、前記貯留箱側開口可能部を除いた面を該貯留箱側開口部に向けて下り傾斜させるとともに、互いに向き合うように傾斜した底面の下端の鉛直位置を不均一にしたことを特徴としている。
【０００７】
ここで、開口可能部（本体枠側開口可能部、貯留箱側開口可能部）とは、開口しない状態と、開口した状態を選択できる部分である。
なお、開口可能部は、これに限らず、例えば、開口可能部が、底面に形成された開口部を塞ぐようにして該底面に（例えば、止着部材などにより）着脱自在に取付けられ、開口可能部を底面から取り外すことで開口可能部を開口できる構成としてもよい。
【０００８】
請求項３記載の発明は、請求項１又は２記載の遊技機において、前記貯留箱の上端部と前記オーバーフロー樋との間隔が、遊技媒体の径よりも小さく設定されていることを特徴としている。
【０００９】
請求項４記載の発明は、請求項１〜３のいずれかに記載の遊技機において、前記貯留箱の上縁部には、該貯留箱から遊技媒体が飛び出すのを防止するための、柔軟材からなる飛散防止部材が設けられていることを特徴としている。
【００１０】
請求項５記載の発明は、請求項１〜４のいずれかに記載の遊技機において、前記本体枠は、該本体枠の奥側の側面から手前側に向かって突出するように設けられ前記貯留箱内のコインが所定量以上に達するオーバーフロー状態を検出可能なオーバーフロー検出手段を備え、かつ、該オーバーフロー検出手段の検出部を覆うカバー部材を着脱自在に取付け可能なことを特徴としている。
【発明の効果】
【００１１】
この請求項１記載の発明によれば、オーバーフロー樋を介して貯留箱内に落下するコインが直接貯留箱の底面に落下せず、先ず、落下勢減衰面に当接して該落下勢減衰面により落下勢を減衰された後に貯留箱の底面に落下するので、コインが貯留箱底面に与える衝撃が少なくて済む。よって、貯留箱が破損する可能性を低減でき、貯留箱は、長期に亘っての使用に耐えうる。
【００１２】
また、貯留箱の手前側には、下方が開口した凹室状の把持部を備えているので、オーバーフローしたコインを回収する際には、把持部を掴んで貯留箱を手前側に引き出せばよく、この引き出し作業を行いやすい。貯留箱を押し込む際も同様に、押し込み作業が行いやすい。
【００１３】
しかも、把持部は貯留箱の手前側であるので、把持部を掴んで貯留箱を引き出す際に、オーバーフロー樋からコインが落下したとしても、このコインが手に当たって貯留箱外にこぼれてしまうことがない。
加えて、この把持部と落下勢減衰面とが表裏の関係であるので、シンプルで合理的な構成であるといえる。
【００１４】
この請求項２記載の発明によれば、貯留箱の底面には、開口可能な貯留箱側開口可能部を設ける一方で、本体枠の底面には、本体枠に貯留箱を配置した際に貯留箱側開口可能部の真下になる部分に、開口可能な本体枠側開口可能部を設けているので、貯留箱側開口可能部と本体枠側開口可能部とをともに開口することで、これら両開口可能部を介して、本体枠の下方にコインを流下させることができる。つまり、払出装置の払出貯留部からオーバーフローしてオーバーフロー樋から落下したコインを貯留箱内に貯留する手法と、該コインを本体枠の下方に流下させてこの流下したコインを島設備の所定箇所に搬送する手法とを、任意に選択できる。
【００１５】
また、貯留箱の底面が貯留箱側開口可能部に向けて下り傾斜し、互いに向き合う傾斜した底面の下端を不均一にしているので、貯留箱側開口可能部を開口した場合には、コインは、底面の傾斜に従って開口側に流下し、底面上を流下したコイン同士が鉢合わせしてしまうことが防止される。
【００１６】
従って、コインが開口部の下方に流下せずに貯留箱内に滞留してしまうといったことを防止できるとともに、コイン同士が鉢合わせした結果、貯留箱側開口可能部などにコインが詰まってしまうといったことを防止できる。
【００１７】
よって、貯留箱内にコインを大量に流入させた場合であっても、円滑に、貯留箱側開口可能部を介して貯留箱の下方にコインを流下させることができる。
【００１８】
この請求項３記載の発明によれば、貯留箱の上端部とオーバーフロー樋との間隔が、遊技媒体の径よりも小さく設定されているので、オーバーフロー樋から落下する遊技媒体が貯留箱の外にこぼれにくい。
【００１９】
ここで、貯留箱の上端部とオーバーフロー樋との間隔は、遊技媒体（コイン）の厚さよりも小さく設定されていることがさらに望ましく、このようにすることで、より遊技媒体が貯留箱の外側にこぼれにくくすることができる。
【００２０】
この請求項４記載の発明によれば、貯留箱の上縁部を飛び越えて貯留箱から飛び出そうとする遊技媒体の飛び出しを、柔軟材からなる飛散防止部材によって阻止できる。
【００２１】
この請求項５記載の発明によれば、本体枠は、該本体枠の奥側の側面から手前側に向かって突出するように設けられ貯留箱内のコインが所定量以上に達するオーバーフロー状態を検出可能なオーバーフロー検出手段を備え、かつ、該オーバーフロー検出手段の検出部を覆うカバー部材を着脱自在に取付け可能である。
【発明を実施するための最良の形態】
【００２２】
以下、図面を参照して、本発明の実施の形態について説明する。本実施の形態は、本発明に係る遊技機の適例としてのスロットマシン、中でも特にパチスロ遊技機について説明を行うものである。
【００２３】
先ず、図２に示すように、パチスロ遊技機１００の本体部１の機枠（本体枠）１ａの片側には前面枠２が開閉可能に軸着されており、図１に示すように、前面枠２を閉じた状態では本体部１の前面に前面枠２が設けられた状態となるようにされている。
【００２４】
図１に示すように、前面枠２の前面には、音声による遊技の演出を行うスピーカ部３，３、表示により遊技の演出を行う演出表示装置４ａを透視可能な演出表示窓４、内部に設けられたリール２０ａ，２０ｂ，２０ｃを透視可能なリール表示窓５、コインの投入を行うためのコイン投入口６、コインのクレジット枚数を表示するクレジット枚数表示部７、コインの払い出し枚数を表示する払出枚数表示部８、限度枚数（例えば、３枚）のコインのベットを行うためのマックスベットボタン９、コインのベットを１枚ずつ行うための１ベットボタン１０、遊技の進行に関する表示を行う遊技進行表示部１１、クレジットされたコインの払出を行うためのコイン返却スイッチ１２、リール２０ａ〜２０ｃの回転を開始させることで可変表示遊技を開始するためのスタートレバー１３、リール２０ａ，２０ｂ，２０ｃの回転をそれぞれ停止させるためのストップボタン１４ａ，１４ｂ，１４ｃ、前面枠２を開くための鍵が差し込まれる鍵穴１５、前面枠２の前面の下部領域を構成する飾り板部１６等が設けられ、さらに、前面枠２の前面の最下部には灰皿１７および払い出されたコインを貯留する下皿１８が配設されている。
【００２５】
図２に示すように、本体部１の機枠１ａの内部には、リール２０ａ〜２０ｃや該リール２０ａ〜２０ｃを回転駆動させるためのステッピングモータ（図示略）等を備えるリール装置２００、コインの貯留および下皿１８へのコインの払い出しを行うホッパー（払出装置  ）８０、このホッパー８０からオーバーフローしたコインを貯留する貯留箱９０、電源基板（図示略）を収容する基板ボックス７５、遊技に関する制御を行う制御装置７０等が設けられている。
【００２６】
このうち、制御装置７０は、ホッパー８０によるコインの払い出し動作、リール装置２００によるリール２０ａ〜２０ｃを回転動作の他、演出表示装置４ａやその他の表示部による表示動作の制御を行うようになっている。
【００２７】
また、ホッパー８０は、払い出し用のコイン（コイン投入口６から投入されたコインを含む）を貯留する払出貯留部８１と、この払出貯留部８１からオーバーフローしたコインを流下案内した後に貯留箱９０内に落下させるオーバーフロー樋８２と、払出貯留部８１から下皿１８へのコインの払い出しを行うコイン払出口８３とを備えている。下皿１８に払い出されるコインの数よりもコイン投入口６から投入されるコインの数の方が多いと、払出貯留部８１内のコインの数が増加するが、該払出貯留部８１内のコインの量が所定量を超えた際には、該払出貯留部８１のコインがオーバーフロー樋８２を介して貯留箱９０へとオーバーフローする。
【００２８】
パチスロ遊技機１００は、以上のように概略構成されていて、以下に説明するようにして遊技が行われるようになっている。
【００２９】
先ず、コイン投入口６よりコインを投入した状態で、或いは、マックスベットボタン９又は１ベットボタン１０の操作によりベットを行った状態で、スタートレバー１３を操作する。すると、リール装置２００のステッピングモータにより、リール２０ａ〜２０ｃが回転駆動され、これによりリール２０ａ〜２０ｃに付された複数の図柄がリール表示窓５にて移動する可変表示遊技が行われる。その後、ストップボタン１４ａ〜１４ｃを操作することでリール２０ａ〜２０ｃの回転駆動がそれぞれ停止され、リール表示部５において、各リール２０ａ〜２０ｃ毎に３つずつの図柄が停止表示される。このように、コイン投入口６にコインが投入されたことなどに基づき所定の遊技が行われた結果、リール表示部５にて予め設定された有効な表示ライン上において停止表示された図柄の組合せに応じて、コインの払い出しの有無などが決定される。また、特に、可変表示遊技の結果、リール表示部５にて停止表示された図柄が、表示ライン上において特定表示結果（例えば、７，７，７のぞろ目など）となると特別遊技状態を発生して所定の遊技価値（例えば、コインの大量獲得が可能な状態など）を付与可能となる。通常の遊技中、又は特別遊技状態において、コインの払い出しがある場合には、所定数のコインがクレジットされるか、又は、ホッパー８０から下皿１８に払い出される。
【００３０】
次ぎに、本発明に係る要部の構成について説明する。
【００３１】
先ず、図３〜図５に示すように、貯留箱９０は、ホッパー８０のオーバーフロー樋８２を介して落下したコインを受け容れて貯留するために、例えば、上方が開口した略直方体の箱形形状に概略構成されている。
【００３２】
図３に示すように、この貯留箱９０の手前側の外側部分には、下方が開口した凹室状に形成されて該貯留箱９０を引き出したり押し込んだりする際に把持するための把持部９１が設けられている。さらに、把持部９１を把持して貯留箱９０を引き出したり押し込んだりする作業を行いやすいように、該把持部９１の下端位置は、例えば、貯留箱９０の上端と下端のほぼ中央に位置している。
【００３３】
また、貯留箱９０の内面のうち、把持部９１の上面９１ａの裏側部分は、奥側に向けて下り傾斜するように形成されて、オーバーフロー樋８２から該貯留箱内９０に落下するコインの落下勢を減衰させる落下勢減衰面９３を構成している。即ち、図３の（ｂ）に示すように、貯留箱９０は、オーバーフロー樋８２のほぼ下方に落下勢減衰面９３が位置するようにして機枠１ａ内に収まることができるような寸法・形状を備え、かつ、そのようにして該機枠１ａ内に収められている。
【００３４】
また、落下勢減衰面９３の鉛直位置は、貯留箱９０の上端と下端の中間、具体的には、例えば、貯留箱９０の上端と下端の中央よりやや上側に設定されている。これは、落下勢減衰面９３によるコインの落下勢の減衰効果をできるだけ得る（このためには落下勢減衰面９３の鉛直位置を貯留箱９０の上端と下端のほぼ中央に位置させるのが望ましい）一方で、オーバーフロー樋８２から落下するコインの多くが落下勢減衰面９３に接触する（このためには落下勢減衰面９３の鉛直位置を貯留箱９０の上端よりにすることが望ましい）ようにしたいがためである。
【００３５】
さらに、貯留箱９０の手前側の内面のうち、落下勢減衰面９３の上方と下方の面９４，９５も、それぞれ傾斜（奥側に向けた急角度の傾斜）を有する面とされており、これら面９４，９５によっても、コインの落下勢減衰効果を少なからず得られるようになっている。
【００３６】
また、図３の（ｂ）に示すように、貯留箱９０の上端部とオーバーフロー樋８２との間隔ｔ１は、コインの直径ｔ２よりも小さく設定されており、これにより、オーバーフロー樋８２から落下するコインが貯留箱９０の外にこぼれにくくなっている。なお、間隔ｔ１は、コインの厚さよりも小さく設定されていることがさらに望ましく、このようにすることで、よりコインが貯留箱９０の外側にこぼれにくくすることができる。
【００３７】
また、図４に示すように、貯留箱９０の底面９６のうち、例えば中央部には、開口可能な貯留箱側開口可能部９６ａが、例えば、長円形状に形成されている。他方、機枠１ａの底面１０６のうち、該機枠１ａ内の所定位置に貯留箱９０を配置した際に貯留箱側開口可能部９６ａの真下になる部分は、開口可能な本体枠側開口可能部１０１となっている。ここで、開口可能部９６ａ，１０１は、開口しない状態と、開口した状態を選択できる部分であり、開口可能部９６ａ，１０１の周囲に沿って、それぞれ破断可能な破断可能部９７，１０２が形成されている。そして、この破断可能部９７，１０２を破断して開口可能部９６ａ，１０１をくり抜くことで、該開口可能部９６ａ，１０１が開口した状態にできる。破断可能部９７は、具体的には、例えば、図４および図６に示すように、貯留箱９０の底面９６の下側面に複数の窪み部９７ａ，…を所定間隔に形成することで、総体として環状に構成されている。ここで、窪み部９７ａ，…は底面９６の下側面に形成されているので、この窪み部９７ａ，…にコインが挟まることがないようになっている。他方、破断可能部１０２は、具体的には、例えば、図４および図６に示すように、機枠１ａの底面１０６に複数の開口部１０２ａ，…を所定間隔に形成することで、総体として環状のミシン目状に構成されている。これら破断可能部９７，１０２により、底面９６，１０６のうち、開口可能部９６ａ，１０１の内側部分と外側部分との結合力が、それぞれ小さく設定されている。従って、開口可能部９６ａ，１０１を押圧するなどして該開口可能部９６ａ，１０１に力を加えることで、破断可能部９７，１０２が破断されて開口可能部９６ａ，１０１をくり抜くことができる。なお、図４の（ｂ）においては、図が煩雑にならないように、破断可能部９７，１０２の開口部９７ａ，…、１０２ａ，…の符号を省略している。
【００３８】
図５および図６の（ｂ）には、このような構成の貯留箱側開口可能部９６ａと本体枠側開口可能部１０１とを開口することで、貯留箱９０の底面９６と機枠１ａの底面１０６に、それぞれ開口部９８，１０３を形成した状態を示す。この状態では、これら両開口部９８，１０３を介して、機枠１ａの下方の島設備側にコインを流下できる構成となるので、この島設備が有するコンベアなどの搬送手段によりコインを所定箇所に搬送してコインを回収するようにできる。
【００３９】
また、図８に示すように、貯留箱９０の傾斜した底面、即ち、底面９６のうち貯留箱側開口可能部９６ａを取り除いた残りの部分である傾斜面９６ｂ〜９６ｅ下端の鉛直位置は、不均一に設定されている。即ち、具体的には、例えば、互いに向き合う傾斜面９６ｃと傾斜面９６ｅの下端の鉛直位置が異なるように設定されている。これは、傾斜面９６ｃ，９６ｅを流下した後、開口部９８（開口した貯留箱側開口可能部９７）を介して貯留箱９０の下方に流下しようとするコインＣ，Ｃ（図８）同士が鉢合わせしてしまうことを防止して、結果、開口部９８でコインが詰まらないようにするためである。
【００４０】
さらに、図９に示すように、貯留箱９０の上縁部には、該貯留箱９０からコインが飛び出すのを防止するための飛散防止部材９９が設けられていてもよい。飛散防止部材９９は、例えば、弾性と可撓性を有する柔軟材（例えば、ポリプロピレンなど）からなり、貯留箱９０の底面９６などから跳ね返ったコインが貯留箱９０から飛びだそうとする際に、該コインを貯留箱９０内にはじき返すものである。飛散防止部材９９は、例えば、水平方向に向けて山と谷が交互に形成された厚手のシート状のものである。飛散防止部材９９は、例えば、貯留箱９０の上縁部に沿って、環状に設けられている。ただし、この飛散防止部材９９は、貯留箱９０を機枠１ａ内の所定位置に配置した状態で、オーバーフロー樋８２が位置する部分には設けないようにすることが望ましい。
【００４１】
本発明では、上記のような要部の構成を備えるため、以下に示すような作用と効果を奏することができる。
【００４２】
ホッパー８０のオーバーフロー樋８２から貯留箱９０内にコインが落下する際には、先ず、貯留箱９０の上端部とオーバーフロー樋８２との間隔ｔ１が、コインの径よりも小さく設定されているので、コインが貯留箱９０の外にこぼれにくい。
【００４３】
また、貯留箱９０内に落下するコインは、先ず、落下勢減衰面９３に当たって該落下勢減衰面９３により落下勢を減衰された後に、貯留箱９０の底面９６に落下する。万が一、貯留箱９０内に落下するコインが落下勢減衰面９３を外れたとしても、該落下勢減衰面９３の上方および下方に位置し、それぞれ傾斜を有する面９４，９５によって、コインの落下勢減衰効果を少なからず得ることができる。よって、いずれにしても、コインが直接貯留箱９０の底面９６に落下する場合に較べて、底面９６に与える衝撃が少なくて済む。従って、貯留箱９０が破損する可能性を低減でき、貯留箱９０は、長期に亘っての使用に耐え得ることとなる。
【００４４】
またここで、落下勢減衰面９３は、奥側（即ち、貯留箱９０の中心側）に向けて下り傾斜しているため、該落下勢減衰面９３に落下したコインが、落下勢減衰面９３に載ったままになるといったことがなく、落下勢減衰面９３に当たって落下勢を減衰されたコインを、落下勢減衰面９３の傾斜に従って、落下勢減衰面９３から底面９６へと落下させることができる。
【００４５】
さらに、貯留箱９０の手前側には把持部９１を備えているので、オーバーフローしたコインを回収する際に貯留箱９０を引き出す作業を行いやすい。貯留箱９０を押し込む際も同様に作業が行いやすい。しかも、把持部９１は貯留箱９０の手前側に設けられているので、把持部９１を掴んで貯留箱９０を引き出す際に、オーバーフロー樋８２からコインが落下したとしても、このコインが手に当たって貯留箱９０外にこぼれたりしない。加えて、把持部９１と落下勢減衰面９３とが表裏の関係であるので、シンプルで合理的な構成であるといえる。
【００４６】
また、機枠１ａの底面１０６には本体枠側開口可能部１０１が、貯留箱９０の底面９６には貯留箱側開口可能部９６ａが、それぞれ設けられているので、これら両開口可能部９６ａ，１０１をともに開口することで、該両開口可能部９６ａ，１０１を介して、機枠１ａの下方にコインを流下できる構成とできる。つまり、ホッパー８０からオーバーフローしたコインを貯留箱９０内に貯留する手法と、該コインを機枠１ａの下方に流下させてこの流下したコインを島設備の所定箇所に搬送する手法とを、任意に選択できる。
【００４７】
しかも、貯留箱９０の傾斜面９６ｂ〜９６ｅが貯留箱側開口可能部９６ａに向けて下り傾斜しているので、貯留箱側開口可能部９６ａを開口して開口部９８を形成した場合には、コインは、傾斜面９６ｂ〜９６ｅの傾斜に従って開口部９８側に流下した後、開口部９８を介して下方に流下する。従って、コインが貯留箱９０の底面９６で滞留してしまうことを防止できる。
【００４８】
また、貯留箱９０の、傾斜面９６ｂ〜９６ｅの下端の鉛直位置が不均一に設定されているので、傾斜面９６ｂ〜９６ｅ上を流下した後、開口部９８を介して貯留箱９０の下方に流下しようとするコインが開口部９８に詰まってしまうといったことを防止できる。従って、貯留箱９０内に大量のコインが流入した場合であっても、開口部９８を介して貯留箱９０下方に円滑にコインを流下できる。
【００４９】
加えて、貯留箱９０の上縁部には、該貯留箱９０からコインが飛び出すのを防止するための、柔軟材からなる飛散防止部材９９が設けられているので、この飛散防止部材９９により、貯留箱９０の上縁部を飛び越えて該貯留箱９０から飛び出そうとするコインの飛び出しを阻止できる。
【００５０】
さらに、本実施の形態では、以下に説明するような構成を備えている。
【００５１】
先ず、図３の（ａ）に示すように、機枠１ａの奥側の内側壁面には、貯留箱９０内のコインが所定量以上に達したオーバーフロー状態を検出可能なオーバーフロー検出手段４０が設けられている。このオーバーフロー検出手段４０は、機枠１ａに取付けられた取付基部４３と、貯留箱９０内に貯留されたコインと接触した際に電気的に導通する導電性プローブ４１，４１と、これら導電性プローブ４１，４１が導通した際にパチスロ遊技機１００外部の報知手段（図示略）に検出信号を送信するための信号線４２を備えている。このうち、導電性プローブ４１，４１は、前記内側壁面から前方に向けて突出するようにして配設されている。
【００５２】
他方、貯留箱９０の奥側の側壁には、オーバーフロー検出手段４０の導電性プローブ４１，４１が該貯留箱９０の内側に向けて貫通される貫通孔部９２，９２が形成されている。従って、貯留箱９０を、該貯留箱９０の貫通孔部９２，９２をオーバーフロー検出手段４０の導電性プローブ４１，４１に外挿するようにして、貯留箱９０を機枠１ａ内の所定位置に配設することで、図３の（ｂ）に示すように、導電性プローブ４１，４１を貯留箱９０内に突出させた状態にできる。この状態で、貯留箱９０内に導電性のコインが所定の深さまで貯留されると、導電性プローブ４１，４１同士が導通状態となって、外部の報知手段にオーバーフロー状態の検出信号が出力され、該報知手段により所定の報知がなされる。
【００５３】
ここで、上記のように、貯留箱側開口可能部９６ａと本体枠側開口可能部１０１とを開口して機枠１ａの下方の島設備側にコインを流下させる場合などには、オーバーフロー検出手段４０が不要となるが、オーバーフロー検出手段４０を取り外すのは面倒である。しかしながら、オーバーフロー検出手段４０が取付けられたままだと、導電性プローブ４１，４１に手が当たって痛い場合があったり、何らかの原因により、オーバーフロー状態の検出信号が出力されて不要な報知がなされてしまう場合がある。
【００５４】
このため、本実施の形態では、図５の（ｂ）および図７に示すように、オーバーフロー検出手段４０（のうち、少なくとも導電性プローブ４１，４１）を覆うカバー部材５０を設けることで、導電性プローブ４１同士の導通を防止できるようになっている。
【００５５】
即ち、要するに、パチスロ遊技機１００は、機枠１ａの奥側の側面から手前側に向かって突出するように設けられ貯留箱９０内のコインが所定量以上に達するオーバーフロー状態を検出可能なオーバーフロー検出手段４０を備え、かつ、該オーバーフロー検出手段４０の検出部（導電性プローブ４１，４１）を覆うカバー部材５０を着脱自在に取付け可能な構成となっている。カバー部材５０は、例えば、非導電性の樹脂などからなるものである。
【００５６】
カバー部材５０を取り付けた場合には、コインが導電性プローブ４１，４１に当接して、これら導電性プローブ４１，４１が誤って導通してしまったりすることを防止できるとともに、手が導電性プローブ４１，４１に当たることを防止できるので、手を保護できる。
【００５７】
また、具体的には、図７に示すように、このカバー部材５０は、導電性プローブ４１，４１を覆う覆い部５１，５１と、該カバー部材５０をオーバーフロー検出手段４０の取付基部４３に固定するための固定フック５２，５２とを備えている。この固定フック５２，５２の基端部側は、弾性変形可能なものである。他方、オーバーフロー検出手段４０の取付基部４３には、固定フック５２，５２が係止される被係止部４４，４４が形成されている。
【００５８】
そして、カバー部材５０の覆い部５１，５１により導電性プローブ４１，４１を覆わせながら、固定フック５２，５２を、貯留箱９０の貫通孔部９２，９２を介して奥側に押し込んで、該固定フック５２，５２を被係止部４４，４４に係止することで、カバー部材５０が、オーバーフロー検出手段４０の取付基部４３に固定されるとともに、貯留箱９０が機枠１ａに対して固定される。逆に、固定フック５２，５２と被係止部４４，４４との係合状態を解除して、カバー部材５０を手前側に引き抜くと、容易にカバー部材５０を取り外せる。
【００５９】
即ち、要するに、カバー部材５０の被取付部（固定フック５２，５２）を、貯留箱９０の側壁に設けられた開口部（貫通孔部９２）を介して、オーバーフロー検出手段４０に固定することで、カバー部材５０がオーバーフロー検出手段４０に固定されるとともに、貯留箱９０が機枠１ａに対して固定されている。
【００６０】
なお、本発明はこの実施の形態のパチスロ遊技機１００に限られるものではなく、例えば、その他のパチスロ遊技機、コインではなく遊技球を用いて遊技を行うパチスロ遊技機、パチンコ遊技機、アレンジボール遊技機、雀球遊技機などの弾球遊技機等にも適用可能である。傾斜面９６ｂ〜９６ｅの下端の鉛直位置を不均一である構成の一例として、向かい合う傾斜面９６ｃ，９６ｅの下端の鉛直位置が異なる構成を例示したが、例えば、隣り合う傾斜面９６ｂ，９６ｃの下端の鉛直位置が異なる構成であってもよいし、１つの傾斜面９６ｂの下端を傾斜させて、該下端の鉛直位置を不均一にしてもよい。加えて、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６１】
請求項１記載の発明に係る遊技機によれば、落下勢減衰面を備えるので、コインが貯留箱底面に与える衝撃が少なくて済む。従って、貯留箱が破損する可能性を低減でき、貯留箱は、長期に亘っての使用に耐えうる。また、貯留箱の手前側に把持部を備えるので、貯留箱を引き出したり押し込んだりし易い。加えて、この把持部と落下勢減衰面とが表裏の関係であるので、シンプルで合理的な構成である。また、コインを貯留箱内に貯留する手法と、コインを本体枠の下方に流下させて島設備の所定箇所に搬送する手法とを、任意に選択できる。
【００６２】
請求項２記載の発明に係る遊技機によれば、貯留箱の底面には、開口可能な貯留箱側開口可能部を設ける一方で、本体枠の底面には、本体枠に貯留箱を配置した際に貯留箱側開口可能部の真下になる部分に、開口可能な本体枠側開口可能部を設けているので、貯留箱側開口可能部と本体枠側開口可能部とをともに開口することで、これら両開口可能部を介して、本体枠の下方にコインを流下させることができる。つまり、払出装置の払出貯留部からオーバーフローしてオーバーフロー樋から落下したコインを貯留箱内に貯留する手法と、該コインを本体枠の下方に流下させてこの流下したコインを島設備の所定箇所に搬送する手法とを、任意に選択できる。
また、貯留箱の底面が貯留箱側開口可能部に向けて下り傾斜し、互いに向き合う傾斜した底面の下端を不均一にしているので、貯留箱側開口可能部を開口した場合には、コインは、底面の傾斜に従って開口側に流下し、底面上を流下したコイン同士が鉢合わせしてしまうことが防止される。
従って、コインが開口部の下方に流下せずに貯留箱内に滞留してしまうといったことを防止できるとともに、コイン同士が鉢合わせした結果、貯留箱側開口可能部などにコインが詰まってしまうといったことを防止できる。
よって、貯留箱内にコインを大量に流入させた場合であっても、円滑に、貯留箱側開口可能部を介して貯留箱の下方にコインを流下させることができる。
【００６３】
請求項３記載の発明に係る遊技機によれば、貯留箱の上端部とオーバーフロー樋との間隔が、遊技媒体の径よりも小さく設定されているので、オーバーフロー樋から落下する遊技媒体が貯留箱の外にこぼれにくい。
【００６４】
請求項４記載の発明に係る遊技機によれば、貯留箱の上縁部を飛び越えて貯留箱から飛び出そうとする遊技媒体の飛び出しを、柔軟材からなる飛散防止部材によって阻止できる。
【００６５】
請求項５記載の発明に係る遊技機によれば、本体枠は、該本体枠の奥側の側面から手前側に向かって突出するように設けられ貯留箱内のコインが所定量以上に達するオーバーフロー状態を検出可能なオーバーフロー検出手段を備え、かつ、該オーバーフロー検出手段の検出部を覆うカバー部材を着脱自在に取付け可能である。
【図面の簡単な説明】
【００６６】
【図１】本発明に係る遊技機として例示するパチスロ遊技機を示す正面図である。
【図２】前面枠を開放した状態のパチスロ遊技機を示す正面図である。
【図３】貯留箱の取付けを示す側面図である（コインを貯留箱に貯留する場合）。
【図４】貯留箱の取付けを示す平面図である（コインを貯留箱に貯留する場合）。
【図５】貯留箱の取付けを示す平面図である（本体枠側開口可能部と貯留箱側開口可能部を開口して島設備側にコインを流下させる場合）。
【図６】本体枠側開口可能部と貯留箱側開口可能部の破断可能部を示す拡大断面図である。
【図７】オーバーフロー検出手段にカバー部材を取り付けた状態を示す平断面図である。
【図８】貯留箱の底面の鉛直位置を不均一にした場合のコインの流下態様を示す概念図である。
【図９】飛散防止部材を設けた場合の貯留箱の側面図である。
【符号の説明】
【００６７】
１ａ 機枠（本体枠）
８０ ホッパー（排出装置）
８１ 払出貯留部
８２ オーバーフロー樋
９０ 貯留箱
９１ 把持部
９３ 落下勢減衰面
９６ 貯留箱の底面
９６ａ 貯留箱側開口可能部
９６ｂ，９６ｃ，９６ｄ，９６ｅ 傾斜面（貯留箱の底面）
９９ 飛散防止部材
１０６ 本体枠の底面
１０１ 本体枠側開口可能部
１００ パチスロ遊技機（遊技機）
【図１】
0004504998.tif 000002
【図２】
0004504998.tif 000003
【図３】
0004504998.tif 000004
【図４】
0004504998.tif 000005
【図５】
0004504998.tif 000006
【図６】
0004504998.tif 000007
【図７】
0004504998.tif 000008
【図８】
0004504998.tif 000009
【図９】
0004504998.tif 000010